(57)【特許請求の範囲】
【請求項１】
電子機器を保持する保持部と、
前記保持部を支持する基部と、を有し、
前記保持部は、
前記電子機器をオペレーター側に向く方向で保持する位置である第１位置と、前記第１位置と異なる位置であり前記電子機器をカスタマー側に向く方向で保持する位置である第２位置との間を回転軸の周りに移動可能であり、
歯部として前記基部に向かう方向へ突出する複数の凸部を有し、
前記基部は、
歯部として複数の前記凸部に応じた複数の凹部を、前記第１位置及び前記第２位置に有し、
複数の前記凸部と複数の前記凹部との嵌合によって、前記保持部を前記第１位置又は前記第２位置に固定可能であり、
複数の前記凹部は、
前記第１位置から前記第２位置までの領域に設けられていない、電子機器保持スタンド。
【請求項２】
請求項１において、
前記第１位置で前記保持部を固定する回転位置の数は、前記第２位置で前記保持部を固定する回転位置の数と同じである
ことを特徴とする電子機器保持スタンド。
【請求項３】
請求項１において、
前記第１位置で前記保持部を固定する回転位置の数は、前記第２位置で前記保持部を固定する回転位置の数と異なる
ことを特徴とする電子機器保持スタンド。
【請求項４】
請求項１乃至３のいずれか１項において、
前記保持部は、操作者の操作中に前記電子機器の固定を解放し、前記操作者によって操作しない時に前記電子機器を固定する操作レバーを備える
ことを特徴とする電子機器保持スタンド。
【発明の詳細な説明】
【技術分野】
【０００１】
本発明は、電子機器用の保持スタンドに関し、特に、保持した電子機器を狭いスペースで、力をかけずに回転でき、かつ、確実に固定することのできる電子機器保持スタンドに関する。
【背景技術】
【０００２】
近年、タブレット型端末、スマートフォンなどモバイル型の電子機器が普及している。これらの電子機器は、手に持って使用されるほか、机の上などに固定されて使用される場合もある。そのため、電子機器を立て掛けるためのスタンドなどが開発されている。
【０００３】
電子機器をスタンドなどに固定して使用する場合に、電子機器の向きを変えたいという要望もあり、このような電子機器を保持するためのスタンドには電子機器を回転させる機能を備えることが望まれる。
【０００４】
かかる電子機器保持スタンドとして、従来、スタンドの設置面に垂直な軸の周りに電子機器を回転させるもの、電子機器を任意の角度で保持するために回転軸にトルクコンバーターを用いたものなどがある。
【０００５】
関連技術として、下記特許文献１には、画像表示装置用のスタンドが開示されている。
【先行技術文献】
【特許文献】
【０００６】
【特許文献１】特開２０１１−１３９５８９号公報
【発明の概要】
【発明が解決しようとする課題】
【０００７】
上述した電子機器保持スタンドは、タブレット型端末を店舗等における料金精算に用いる場合にも必要とされ、この場合には、カスタマーの承認等を受けるためにタブレット端末に対するカスタマーの操作を容易に行える機能を備えることが望まれる。すなわち、このような用途の場合、電子機器保持スタンドには、保持したタブレット型端末の向きをオペレーター側とカスタマー側の間で素早く切り換え可能であること、当該向きの切り換えが多数回行われるので力をかけずにタブレット端末を回転できること、タブレット端末に対する操作がしやすいように所定の向きで確実に固定されること、及び、上記向きの切り換えにスペースを取らないことなどが望まれる。
【０００８】
従来の電子機器保持スタンドには、これらの要望を満たすものはない。
【０００９】
そこで、本発明の目的は、電子機器用の保持スタンドであって、保持した電子機器を狭いスペースで、力をかけずに回転でき、かつ、確実に固定することのできる電子機器保持スタンド、等を提供することである。
【課題を解決するための手段】
【００１０】
上記の目的を達成するために、本発明の一つの側面は、電子機器保持スタンドが、電子機器を保持する保持部と、前記保持部を支持する基部と、を有し、前記保持部は、前記基部が設置される面に平行な軸の周りに、前記保持する電子機器を略無負荷で回動させる回転機構を備える、ことである。
【００１１】
これにより、保持する電子機器の向きの変更を、狭いスペースで、かつ、力をかけずに行うことができる。
【００１２】
更に、上記発明において、その好ましい態様は、前記回転機構は、前記保持する電子機器の表示画面を第１の側及び第１の側と反対の第２の側に向ける回転位置で、前記保持する電子機器を固定し、前記第２の側で、前記電子機器が固定される回転位置の数は、前記第１の側で、前記電子機器が固定される回転位置の数と同じである、
ことを特徴とする。
【００１３】
これにより、電子機器を用いる者が対面している場合に便利である。
【００１４】
更にまた、上記発明において、その好ましい態様は、前記回転機構は、前記保持する電子機器の表示画面を第１の側及び第１の側と反対の第２の側に向ける回転位置で、前記保持する電子機器を固定し、前記第２の側で、前記電子機器が固定される回転位置の数は、前記第１の側で、前記電子機器が固定される回転位置の数と異なる、ことを特徴とする。
【００１５】
更に、上記発明において、その好ましい態様は、前記電子機器の固定は、凹凸部の嵌合によってなされる、ことを特徴とする。
【００１６】
これにより、電子機器を所定の位置で確実に固定でき、電子機器に対する操作がしやすい。
【００１７】
更に、上記発明において、その好ましい態様は、前記回転機構は、操作者の操作中に前記電子機器の固定を解放し、前記操作者が操作していない時に前記電子機器の固定がなされる操作レバーを備える、ことを特徴とする。
【００１８】
これにより、操作者の利便性が向上する。
【００１９】
本発明の更なる目的及び、特徴は、以下に説明する発明の実施の形態から明らかになる。
【図面の簡単な説明】
【００２０】
【図１】本発明を適用した電子機器保持スタンドの実施の形態例に係る斜視図である。
【図２】本電子機器保持スタンド１の使用例を示した図である。
【図３】本電子機器保持スタンド１の電子機器４を保持していない状態での斜視図である。
【図４】回転機構２００を例示する斜視図である。
【図５】回転機構２００の断面図である。
【図６】第１の位置で固定された保持部２の側面図である。
【図７】第１の位置で固定された保持部２の断面図である。
【図８】第１の位置で回転用レバー２０１が操作された状態の保持部２の断面図である。
【図９】第２の位置で固定された保持部２の側面図である。
【図１０】第２の位置で固定された保持部２の断面図である。
【図１１】第３の位置で固定された保持部２の側面図である。
【図１２】第３の位置で固定された保持部２の断面図である。
【図１３】第３の位置から第４の位置へ移動中の保持部２の断面図である。
【図１４】第４の位置で固定された保持部２の側面図である。
【図１５】第４の位置で固定された保持部２の断面図である。
【図１６】スライダー２３０の外観斜視図である。
【図１７】保持部２の背面カバーを除いた状態での斜視図である。
【図１８】スライダー２３０の固定状態を示す拡大図である。
【図１９】スライダー２３０の解放状態を示す拡大図である。
【図２０】スライダー２３０のロック状態を示す拡大図である。
【図２１】下側アーム２６０周辺の構造を説明するための図である。
【図２２】緩衝材２６５と電子機器４の接触状態を示す図である。
【図２３】電子機器４を取り付ける際の手順について説明するための図である。
【図２４】電子機器４を取り付ける際の手順について説明するための図である。
【図２５】電子機器４を取り付ける際の手順について説明するための図である。
【図２６】電子機器４を取り付ける際の手順について説明するための図である。
【図２７】電子機器４を取り付ける際の手順について説明するための図である。
【図２８】電子機器４を取り外す際の操作を示す図である。
【図２９】本電子機器保持スタンド１をレジシステムに適用した場合の配電経路図である。
【図３０】ケーブル用貫通孔２７０を示す斜視図である。
【図３１】ケーブル用貫通孔２７０の開口部２７１を示す斜視図である。
【図３２】電子機器用ケーブル１１の接続状態を示す斜視図である。
【図３３】電子機器用ケーブル１１の接続状態を示す斜視図である。
【図３４】電子機器４と電子機器用ケーブル１１の位置関係を説明するための図である。
【図３５】ケーブル用貫通孔２７０の基部３側の縁部を例示する断面図である。
【図３６】ケーブル用貫通孔２７０の基部３側の縁部を例示する断面図である。
【図３７】本実施の形態例に係るケーブル用貫通孔２７０及び基部側穴部３２の断面図である。
【図３８】本実施の形態例に係るケーブル用貫通孔２７０及び基部側穴部３２の断面図である。
【発明を実施するための形態】
【００２１】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００２２】
図１は、本発明を適用した電子機器保持スタンドの実施の形態例に係る斜視図である。図１に示す本実施の形態例に係る電子機器保持スタンド１は、電子機器４を保持する保持部２と保持部２を支持する基部３を有し、保持部２が電子機器保持スタンド１（基部３）の設置面に水平（平行）な軸の周りに無負荷で回転でき、所定の複数の回転位置で歯部の嵌合により固定できる回転機構２００を備える。これにより、保持した電子機器４を狭いスペースで、力をかけずに回転でき、かつ、確実に固定することができる。
【００２３】
図２は、本電子機器保持スタンド１の使用例を示した図である。図２に示す例は、タブレット端末である電子機器４を店舗等での料金精算に用いる場合であり、専用のレジシステムを導入することなく、汎用のタブレット端末を用いて簡易にレジシステムを構築する例である。当該レジシステムは、タブレット端末（電子機器４）、それを保持する本実施の形態例に係る電子機器保持スタンド１、レシートやクーポンを印刷するプリンター５等で構成される。図示していないが、更に、カードリーダー（スキャナー）などの入力装置が備えられていてもよい。また、レジシステムは、例えば図２に示されるように、設置ラック６の上に配置され、電源につながれる元電源コード８、ＡＣアダプター７を介して電力が供給される。（図２では、ＡＣアダプター７以降の電源コードは図示していない。）
【００２４】
電子機器４は、従前のタブレット型端末（コンピューター）であり、表示画面４ａに接
触することによって各操作をすることができる。電子機器４には、レジ用のアプリケーション（精算用のアプリケーション）がインストールされており（備えられており）、オペレーターは当該アプリケーションを起動して精算処理を実行する。
【００２５】
電子機器保持スタンド１は、当該電子機器４を保持する、いわゆるスタンド（モノを支える台、器具、装置）であり、図２に示されるような状態で電子機器４を保持する。電子機器保持スタンド１は、後述する回転機構２００により、電子機器４を回転させて保持（固定）することができ、精算処理の際にカスタマーによる承認等の操作が必要な際には、電子機器４の表示画面４ａをカスタマー側（図２において、電子機器４の背面側）に向けることができる。
【００２６】
プリンター５は、電子機器４（レジ用のアプリケーション）からの指示により精算処理に関するレシート等を印刷する印刷装置である。
【００２７】
図３は、本電子機器保持スタンド１の電子機器４を保持していない状態での斜視図である。電子機器保持スタンド１は、電子機器４を所定の向きて固定して保持する保持部２と、保持部２を支持する基部３とを備える。
【００２８】
保持部２は、電子機器４を支持する保持板２３５のほか、電子機器４を回転させるための回転機構２００、電子機器４を固定するためのスライダー２３０、下側アーム２６０（ａ、ｂ）、緩衝材２６５等、及び、電子機器４へ電力を供給するケーブル用の貫通孔２７０等、を備える。
【００２９】
基部３は、電子機器保持スタンド１の台座部分であり、その底面が電子機器保持スタンド１の設置面に置かれる。また、基部３は、後述するが、その内部の空間に分電部３１を備え、分電部３１からの電源ケーブルが上述したケーブル用貫通孔２７０を通って電子機器４に案内される。
【００３０】
このような構成の本電子機器保持スタンド１では、回転機構２００、電子機器を保持（固定）するための機構、及び、ケーブルを案内するための機構に特徴があり、以下、これらの各機構について説明する。
【００３１】
［回転機構について］
本電子機器保持スタンド１の回転機構２００は、保持した電子機器４を電子機器保持スタンド１の設置面に水平な軸の周りに回転させる機構であり、操作者が電子機器４を回転させる際には、概ね無負荷な状態で回動させることができ、また、所定の複数の回転角度（回転位置）で固定することができる。
【００３２】
図４は、回転機構２００を例示する斜視図である。図４に示すシャフト２０２は、保持部２の回転軸であり、上述した電子機器保持スタンド１の設置面に水平な軸に沿って設けられる。シャフト２０２は、基部３に固定された２つの支持部２１０で支えられる。また、それらの支持位置には、それぞれ、軸受２１１が設けられており、概ね負荷がかからずにシャフト２０２が回転できる。
【００３３】
シャフト２０２には、保持部側歯部２０３がシャフト２０２に対して回転不可に取り付けられる。また、基部３には、基部側歯部２０４が基部３に固定されて取り付けられる。保持部側歯部２０３の下側先端には下側凸部２０３ｂが設けられ、基部側歯部２０４の上面には凹部が設けられ、これらが嵌合することによって、シャフト２０２、すなわち、保持部２が回転不可に固定される。
【００３４】
また、図４に示す回転用レバー２０１（操作レバー）は、保持部２、すなわち、電子機器４を回転する際に、操作者（オペレーター）が操作する部分である。
【００３５】
図５は、回転機構２００の断面図である。図５は、シャフト２０２に垂直な面で切った断面図である。図５に示すように、上述した保持部側歯部２０３の上端部には、両サイドに上側凸部がある。また、保持部側歯部２０３の両サイドには、歯部用バネ２０７が取り付けられており、こられのバネ力により保持部側歯部２０３は上側（図５の矢印Ｃの方向）に常に付勢されている。また、保持部側歯部２０３には、中央に移動穴２０３ｃが設けられており、基部３に固定された上下２つのポール２０８に沿って、保持部側歯部２０３の上下動（図５の矢印Ｃ及びＤの方向への移動）がなされる。
【００３６】
上述した回転用レバー２０１は、図５に示されるように、レバー側押え部材２０５が連結している。操作者（オペレーター）の回転用レバー２０１を押し込む操作に従って、回転用レバー２０１が保持部側歯部２０３に近づく方向（図５の矢印Ａの方向）に移動すると、レバー側押え部材２０５もその移動に伴って同方向に移動する。また、レバー側押え部材２０５にはレバー用バネ２０６が取り付けられており、回転用レバー２０１及びレバー側押え部材２０５を、保持部側歯部２０３から遠ざかる方向（図５の矢印Ｂの方向）に、常に付勢している。
【００３７】
回転用レバー２０１が操作されていない状態では、図５に示されるように、レバー側押え部材２０５の２つの凸部２０５ａが、それぞれ、保持部側歯部２０３の上側凸部２０３ａと当接し、レバー側押え部材２０５が、保持部側歯部２０３を歯部用バネ２０７のバネ力に反して下方向（図５の矢印Ｄの方向）へ押し下げている。この状態では、保持部側歯部２０３の下側凸部２０３ｂが、基部側歯部２０４の凹部に嵌合し、シャフト２０２、すなわち、保持部２及び電子機器４が回転不可に固定される。
【００３８】
一方、回転用レバー２０１が操作されて押し込まれている状態では（図５の矢印Ａの方向へ移動している状態では）、上述した凸部２０５ａと上側凸部２０３ａの当接がはずれ、各上側凸部２０３ａの位置に、それぞれ、レバー側押え部材２０５の凹部２０５ｂが来るので、保持部側歯部２０３が歯部用バネ２０７のバネ力によって上昇し（図５の矢印Ｃの方向に移動し）、上述した下側凸部２０３ｂと基部側歯部２０４の凹部との嵌合がはずれ、シャフト２０２、すなわち、保持部２及び電子機器４が回転可能となる。
【００３９】
このような原理により、保持部２及び電子機器４の回転と所定位置での固定ができる。本実施の形態例では、４つの回転位置（回転角度）で保持部２及び電子機器４を固定することができる。具体的には、オペレーターが電子機器の表示画面４ａを見る側（操作する側、第１の側）で３つの位置、カスタマーが表示画面４ａを見る側（操作する側、第２の側）で１つの位置、で固定することができる。
【００４０】
図６は、第１の位置で固定された保持部２の側面図である。第１の位置は、表示画面４ａがオペレーター側（図６の矢印Ｅの方向）を向く回転位置であり、図６に示すように、設置面と保持板２３５が４５°をなす位置である。
【００４１】
図７は、第１の位置で固定された保持部２の断面図である。図７に示す状態では、第１の位置で保持部２が固定されているので、上述の通り、回転用レバー２０１は、保持部側歯部２０３から遠ざかる方向（図７の矢印Ｂの方向）に移動している。そして、レバー側押え部材２０５の凸部２０５ａが保持部側歯部２０３の上側凸部２０３ａと当接し、レバー側押え部材２０５が下方向（図７の矢印Ｄの方向）へ押し下げられて、保持部側歯部２０３の下側凸部２０３ｂが基部側歯部２０４の凹部に嵌合している。この第１の位置では、下側凸部２０３ｂは、図７において一番左側の凹部２０４ａから嵌合している。
【００４２】
図８は、第１の位置で回転用レバー２０１が操作された状態の保持部２の断面図である。上述の通り、回転用レバー２０１が操作されて押し込まれると（図８の矢印Ａの方向へ移動すると）、凸部２０５ａと上側凸部２０３ａの当接がはずれ、保持部側歯部２０３が上昇し（図８の矢印Ｃの方向に移動し）、下側凸部２０３ｂと基部側歯部２０４の凹部との嵌合がはずれ、保持部２が回転可能となる。従って、オペレーターは、保持部２を回転させて、所望の回転位置で回転用レバー２０１から手を放すことにより、位置を変更することが可能である。
【００４３】
図９は、第２の位置で固定された保持部２の側面図である。第２の位置は、表示画面４ａがオペレーター側（図９の矢印Ｅの方向）を向く回転位置であり、図９に示すように、設置面と保持板２３５が３８°をなす位置である。
【００４４】
図１０は、第２の位置で固定された保持部２の断面図である。図１０に示す状態では、第２の位置で保持部２が固定されているので、上述の通り、回転用レバー２０１は、保持部側歯部２０３から遠ざかる方向（図１０の矢印Ｂの方向）に移動している。そして、レバー側押え部材２０５の凸部２０５ａが保持部側歯部２０３の上側凸部２０３ａと当接し、レバー側押え部材２０５が下方向（図１０の矢印Ｄの方向）へ押し下げられて、保持部側歯部２０３の下側凸部２０３ｂが基部側歯部２０４の凹部に嵌合している。この第２の位置では、下側凸部２０３ｂは、図１０において左側から２番目の凹部２０４ｂから嵌合している。
【００４５】
図１１は、第３の位置で固定された保持部２の側面図である。第３の位置は、表示画面４ａがオペレーター側（図１１の矢印Ｅの方向）を向く回転位置であり、図１１に示すように、設置面と保持板２３５が３１°をなす位置である。
【００４６】
図１２は、第３の位置で固定された保持部２の断面図である。図１２に示す状態では、第３の位置で保持部２が固定されているので、上述の通り、回転用レバー２０１は、保持部側歯部２０３から遠ざかる方向（図１２の矢印Ｂの方向）に移動している。そして、レバー側押え部材２０５の凸部２０５ａが保持部側歯部２０３の上側凸部２０３ａと当接し、レバー側押え部材２０５が下方向（図１２の矢印Ｄの方向）へ押し下げられて、保持部側歯部２０３の下側凸部２０３ｂが基部側歯部２０４の凹部に嵌合している。この第３の位置では、下側凸部２０３ｂは、図１２において左側から３番目の凹部２０４ｃから嵌合している。
【００４７】
図１３は、第３の位置から第４の位置へ移動中の保持部２の断面図である。図１３に示す状態は、回転中なので、上述の通り、回転用レバー２０１が押し込まれており（図１３の矢印Ａの方向へ移動しており）、凸部２０５ａと上側凸部２０３ａの当接がはずれ、保持部側歯部２０３が上昇し（図１３の矢印Ｃの方向に移動し）、下側凸部２０３ｂと基部側歯部２０４の凹部との嵌合がはずれている。
【００４８】
図１４は、第４の位置で固定された保持部２の側面図である。第４の位置は、表示画面４ａがカスタマー側（図１４の矢印Ｆの方向）を向く回転位置であり、図１４に示すように、設置面と保持板２３５が３２°をなす位置である。
【００４９】
図１５は、第４の位置で固定された保持部２の断面図である。図１５に示す状態では、第４の位置で保持部２が固定されているので、上述の通り、回転用レバー２０１は、保持部側歯部２０３から遠ざかる方向（図１５の矢印Ｂの方向）に移動している。そして、レバー側押え部材２０５の凸部２０５ａが保持部側歯部２０３の上側凸部２０３ａと当接し、レバー側押え部材２０５が下方向（図１５の矢印Ｄの方向）へ押し下げられて、保持部
側歯部２０３の下側凸部２０３ｂが基部側歯部２０４の凹部に嵌合している。この第４の位置では、下側凸部２０３ｂは、図１５において右側から４番目の凹部２０４ｄから嵌合している。
【００５０】
なお、上記実施の形態例では、保持部２が４つの異なる位置で固定される態様であったが、保持部２が固定される位置の数及び角度は、当該態様と異なるものであってもよい。また、上記実施の形態例では、保持部２が固定される位置の数がオペレーター側とカスターマー側で異なっていたが、保持部２が固定される位置の数がオペレーター側とカスターマー側で同じであってもよい。後者の場合、例えば、表示画面４ａがオペレーター側を向く１つの回転位置と、表示画面４ａがカスタマー側を向く１つの回転位置で固定する態様にしてもよい。この場合、具体的には、一例として、オペレーター側及びカスターマー側で、設置面と保持板２３５がなす角度を４５°とすることができる。
【００５１】
以上説明したように、本電子機器保持スタンド１の回転機構２００では、設置面と水平な回転軸で保持した電子機器４を回転させるので、スペースを取らずに、電子機器４の表示画面４ａをオペレーター側とカスタマー側に切り換ることができる。
【００５２】
また、その回転は概ね無負荷の状態で行われるので、オペレーターは力をかけずに素早く電子機器４の向きを変えることができる。
【００５３】
また、所望の回転位置にした場合に、歯の嵌合により保持部２が固定されるので、電子機器４が確実に固定され、オペレーターやカスタマーの表示画面４ａ上への操作がしやすい。
【００５４】
また、複数の回転位置で電子機器４を固定できるので、利便性が高い。
【００５５】
なお、保持部２の回転操作を安定して行えるようにするために、シャフト２０２に軽い負荷のロータリーダンパーを設けてもよい。
【００５６】
［ロック機構について］
本電子機器保持スタンド１には、保持する電子機器４をしっかりと固定すると共に、電子機器４の盗難を防止する、ロック機能が備えられる。そのために、電子機器保持スタンド１は、上側フック２３１を含むスライダー２３０、下側アーム２６０（ａ、ｂ）、緩衝材２６５、及び、ロックプレート２４０などを備える。上述した図３では、電子機器４を固定する前の状態が示され、上述した図１では、電子機器４を固定した状態が示される。
【００５７】
まず、スライダー２３０について説明する。スライダー２３０は、保持する電子機器４を上側から押える上側フック２３１を上下に移動させると共に、任意の位置で上側フック２３１を確実に固定する機構である。更に、盗難防止のために、上側フック２３１の上記上下移動をロックする機能を備える。
【００５８】
図１６は、スライダー２３０の外観斜視図である。図１６では、保持した電子機器４を固定した状態を示しており、上側フック２３１が電子機器４を上から押えている。上側フック２３１には、その左右に、それを上下動させるための部材であるフック側歯部２３３が取り付けられている。また、フック側歯部２３３の内側には、オペレーターが上側フック２３１を上下動させるためのスライダーレバー２３２が設けられる。
【００５９】
図１７は、保持部２の背面カバーを除いた状態での斜視図である。上述した左右のフック側歯部２３３の内側には、それぞれ、それらと嵌合する左右の保持板側歯部２３４が設けられる。また、スライダー２３０は、盗難防止のためにロック部２３６を備える。
【００６０】
図１８は、スライダー２３０の固定状態を示す拡大図である。上述の通り、上側フック２３１は左右のフック側歯部２３３に固定されており、保持板２３５に対して上下方向（図１８の矢印Ｊ及び矢印Ｋの方向）に移動可能である。
【００６１】
一方、上述した左右の保持板側歯部２３４は、それぞれ、回動軸２３４ａ及び２３４ｂの周りに回動可能に保持板２３５に取り付けられている。また、上述した左右のスライダーレバー２３２ａ及び２３２ｂは、それぞれ、左右の保持板側歯部２３４に取り付けられている。また、左右の保持板側歯部２３４には、それぞれ、歯部用バネ２３８ａ及び２３８ｂが設けられ、それらのバネ力により、保持板歯部２３４は常に外側に付勢されている。すなわち、左側の保持板歯部２３４は図１８の矢印Ｉａの方向に、右側の保持板歯部２３４は図１８の矢印Ｉｂの方向に、付勢されている。
【００６２】
従って、図１８に示す、スライダーレバー２３２が操作されていない状態では、左右の保持板側歯部２３４は、それぞれ、左右のフック側歯部２３３側に移動し、縁部の凸部がフック側歯部２３３の凹部に嵌合する。すなわち、フック側歯部２３３と保持板側歯部２３４が歯合する。この状態では、上側フック２３１とフック側歯部２３３は上下動できず、固定される。
【００６３】
なお、保持板側歯部２３４の縁部に形成される凸部（歯）は、図１８に示す通り、その先端がその付け根よりも下がった位置になるように形成され（歯が下（図１８の矢印Ｋの方向）を向くように形成され）、フック側歯部２３３の凹部もその形状に相応するように形成されているので、この固定状態で、上側フック２３１を上方向（図１８の矢印Ｊの方向）に引っ張ると、凸部（歯）の下面と凹部の下面の傾斜角により、両者（凸部と凹部）はより深く嵌合される方向に移動し、フック側歯部２３３と保持板側歯部２３４の嵌合が外れることはない。
【００６４】
また、図１８に示されるように、上述したロック部２３６に対して、保持板２３５にはロック部材２３７が上下動可能（図１８の矢印Ｊ及び矢印Ｋの方向に移動可能）に取り付けられている。ロック部材２３７には、ロック部材用バネ２３９が取り付けられ、そのバネ力により、ロック部材２３７は、常に上方向（図１８の矢印Ｊの方向）に付勢されている。図１８に示す状態は、上側フック２３１の固定状態ではあるものの、後述するロック状態ではないので、ロック部材２３７は、ロック部２３６と接触せず、上記バネ力で上方向（図１８の矢印Ｊの方向）に移動しており、その上端左右に設けられる突起部２３７ａが、左右の保持板側歯部２３４よりも上方向（図１８の矢印Ｊの方向）に位置する。従って、図１８からわかるように、この状態では、左右のスライダーレバー２３２ａ、２３２ｂを内側（それぞれ、図１８の矢印Ｈａ及び矢印Ｈｂの方向）に移動可能（操作可能）である。
【００６５】
図１９は、スライダー２３０の解放状態を示す拡大図である。上述した固定状態であって、ロック状態でない場合には、上述した通り、左右のスライダーレバー２３２ａ、２３２ｂを内側（それぞれ、図１８の矢印Ｈａ及び矢印Ｈｂの方向）に操作可能であるので、オペレーターがその操作を行うと、この図１９に示す解放状態となる。
【００６６】
この状態では、上記操作によって、左右の保持板側歯部２３４が、それぞれ、図１９の矢印Ｈａ及び矢印Ｈｂの方向に回動し、左右のフック側歯部２３３との嵌合が外れる。従って、この状態では、オペレーターは上側フック２３１を上下（図１９の矢印Ｊ及び矢印Ｋの方向）に移動させることができる。なお、その移動操作の後、オペレーターがスライダーレバー２３２から手を放すと、上述した歯部用バネ２３８のバネ力により、再び、保持板側歯部２３４はフック側歯部２３３と嵌合する。
【００６７】
図２０は、スライダー２３０のロック状態を示す拡大図である。ロック状態とは、上述した固定状態で、ロック部２３６のキー２５０を有する者以外は、上述した解放状態にすることができない状態である。
【００６８】
図２０に示されるように、ロック状態では、ロック部２３６の突起部２３６ａが下方（図２０の矢印Ｊの方向）に位置し、ロック部材２３７の上部と当接している。当該当接により、ロック部材２３７は、ロック部材用バネ２３９のバネ力に反して、図１８に示す状態から下方（図２０の矢印Ｊの方向）に移動する。これにより、突起部２３７ａの上下位置が左右の保持板側歯部２３４と同じ位置まで下がり、図２０に示される通り、突起部２３７ａと保持板側歯部２３４との隙間が殆どなくなる。
【００６９】
従って、このロック状態では、スライダーレバー２３２を内側（図２０の矢印Ｈａ及びＨｂの方向）に移動させられない。すなわち、オペレーターは、解放状態にする操作を行えない。よって、電子機器４を保持し、上側フック２３１で電子機器４を押えている固定状態で、このロック状態にすれば、スライダー２３０に関しては、電子機器４を電子機器保持スタンド１から取り外すことはできない。
【００７０】
なお、ロック状態にする場合には、ロック部２３６に設けられたカギ穴２３６ｂにキー２５０を挿入してロック部２３６を図２０に示す位置まで回転させる。
【００７１】
次に、下側アーム２６０について説明する。図３に示されるように、下側アーム２６０ａ、２６０ｂは、保持部２の底板２６１上の左右に２つ設けられる。図２１は、下側アーム２６０周辺の構造を説明するための図である。下側アーム２６０ａ、２６０ｂは、保持される電子機器４の下側を左右で支持する部材であり、底板２６１の上面に沿って左右（図２１の矢印Ｎの方向）に移動可能に保持板２３５に取り付けられている。従って、保持する電子機器４のサイズや仕様に応じて適切な位置で電子機器４を支持することができる。
【００７２】
また、図２１に示されるように、下側アーム２６０ａ、２６０ｂが摺動する底板２６１の上面には凹凸部２６２が設けられ、下側アーム２６０ａ、２６０ｂの下面には下側アーム凸部２６３が設けられる。電子機器４を保持し、上述した上側フック２３１で上から電子機器４が押し込まれている状態では、下側アーム凸部２６３が凹凸部２６２の凹部に嵌合し、容易に左右に移動できない、固定された状態となる。
【００７３】
次に、緩衝材２６５について説明する。図３に示されるように、上側フック２３１、保持板２３５、下側アーム２６０には、それぞれ、緩衝材２６５が取り付けられている。この緩衝材２６５には、弾力性があると共に表面の摩擦係数が高い材質の材料が用いられる。例えば、摩擦係数が１以上（μ≧１）のポリウレタンフォームを用いることができる。
【００７４】
図２２は、緩衝材２６５と電子機器４の接触状態を示す図である。図２２では、電子機器４を上側フック２３１によりしっかりと押さえ付けた固定状態を示している。図２２のｘ部は、上側フック２３１の下面に取り付けられた緩衝材２６５と電子機器４の上部の状態を示しており、電子機器４の上部が緩衝材２６５に喰い込んでいる。また、図２２のｙ部は、下側アーム２６０の上面に取り付けられた緩衝材２６５と電子機器４の下部の状態を示しており、電子機器４の下部が緩衝材２６５に喰い込んでいる。
【００７５】
このような状態では、電子機器４は、その厚み方向（図２２の矢印Ｏの方向）にも動くことができず固定される。また、緩衝材２６５は表面の摩擦係数が高いので、電子機器４を横方向（図２１の矢印Ｎの方向）にも動かすことは困難である。従って、電子機器４は
、保持された状態で各方向にしっかりと固定される。
【００７６】
なお、上側フック２３１と下側アーム２６０に取り付けられる緩衝材２６５の厚み（図２１のｄ）は、フック側歯部２３３の凹凸のピッチに相応した適切な値とされる。例えば、フック側歯部２３３の凹凸のピッチが３ｍｍの際に、緩衝材２６５の厚み（ｄ）は５ｍｍとされる。
【００７７】
次に、ロックプレート２４０について説明する。ロックプレート２４０は、保持する電子機器４に貼付する板状の部材である。電子機器保持スタンド１が電子機器４を保持した際にこのロックプレート２４０の先端部が保持部２と嵌合し、電子機器４を容易には取り外せなくなる。
【００７８】
次に、以上説明した構成を備えるロック機構を用いて、オペレーターが電子機器４を取り付ける（保持する）際の手順について説明する。
【００７９】
図２３−図２７は、電子機器４を取り付ける際の手順について説明するための図である。まず、図２３に示されるように、電子機器４の背面にロックプレート２４０を両面テープなどで貼付する。図２４は、ロックプレート２４０が貼付された状態を示す。この状態で、ロックプレート先端部２４０ａが電子機器４から下側に出ている。
【００８０】
次に、電子機器４を保持部２の保持板２３５に置くが、図２５に示すように、ロックプレート先端部２４０ａを底板２６１の上に設けられたロックプレート用穴部２６４に差し込みながら置く。また、電子機器４を置く前、あるいは、置いた後に下側アーム２６０を適切な位置にスライド（移動）させる。
【００８１】
その後、図２６に示すように、上側フック２３１を下げて、電子機器４を上から押える。上側フック２３１を下げる操作は、そのまま上側フック２３１を押し下げて行う。この際、上側フック２３１はラチェット音を発しながら下方に押し下がる事が可能である。これにより、上述した緩衝材２６５の作用もあり、電子機器４がしっかりと固定されて電子機器保持スタンド１に保持される。
【００８２】
その後、盗難防止等の目的で、図２７に示されるように、スライダー２３０をロックする。すなわち、上述したように、キー２５０でロック部２３６を回転させ、上述したロック状態とする。これで、電子機器４の取り付けが完了する。
【００８３】
なお、電子機器４を取り外す際には、キー２５０でロック部２３６を回転させ、スライダー２３０のロック状態を解除して、上側フック２３１を上げる。図２８は、その操作を示す図である。オペレーターは、左右のスライダーレバー２３２ａ、２３２ｂを矢印Ｌの方向に操作し、上記解放状態とした後に、上側フック２３１を矢印Ｍの方向に引き上げる。
【００８４】
以上説明したように、本電子機器保持スタンド１では、上側フック２３１を備えるスライダー２３０と２つの下側アーム２６０ａ、２６０ｂによって、電子機器４を上下から挟んで保持するので、電子機器４をしっかりと固定することができる。
【００８５】
更に、上側フック２３１及び下側アーム２６０等には、電子機器４との接触面に緩衝材２６５が設けられ、電子機器４をどちらの方向にも動かないように確実に固定することができる。これにより、オペレーター及びカスタマーの電子機器４への操作がしやすくなる。
【００８６】
また、下側アーム２６０と底板２６１との凹凸部による嵌合によって、更にしっかりと固定される。
【００８７】
また、ロックプレート２４０の使用により、電子機器４を保持した状態では電子機器４を取り外すことが出来なくなり、電子機器４の盗難を防止できる。更に、ロックプレート２４０という電子機器４から着脱可能な部材で構成したことにより、電子機器４の任意の位置に取り付け可能であり、用途に応じて、電子機器４の保持位置を適切に選ぶことができる。
【００８８】
また、２つの下側アーム２６０ａ、２６０ｂは移動可能であり、様々なサイズや仕様の電子機器４に対応することができるので、本電子機器保持スタンド１では、多種の電子機器４を保持することができる。
【００８９】
［ケーブルの案内機構］
本電子機器保持スタンド１では、電源ケーブル等を収容し使用先まで案内する構造にも特徴がある。
【００９０】
図２９は、本電子機器保持スタンド１をレジシステムに適用した場合の配電経路図である。図２９に示すレジシステムの例では、元電源である電源１０から元電源コード８、ＡＣアダプター７を介して、電力（２４Ｖと５Ｖ）が分電部３１に供給される。分電部３１は、電子機器保持スタンド１の基部３内に収容される。
【００９１】
分電部３１からは、電子機器４へ５Ｖの電力が電子機器用ケーブル１１で供給される。また、同様に、分電部３１から、プリンター５へは２４Ｖの電力が供給され、スキャナー９にも電力が供給される。
【００９２】
分電部３１とつながる各ケーブルの貫通孔として、基部３の底部の四隅には、図３、図２９に示されるように、４つのケーブル用開放孔３３が設けられる。
【００９３】
次に、分電部３１から保持する電子機器４へ電子機器用ケーブル１１を案内する構造について説明する。図３０は、ケーブル用貫通孔２７０を示す斜視図である。ケーブル用貫通孔２７０は、保持部２の保持板２３５を貫通する孔であり、基部３に収容された配電部３１からつながる電子機器用ケーブル１１を電子機器４に案内するために設けられる。
【００９４】
電子機器用ケーブル１１を電子機器４につなぐ際には、電子機器４を保持板２３５に置く前に、図３０に示すような状態とする。すなわち、基部３の中に収容される配電部３１につながった電子機器用ケーブル１１を、ケーブル用貫通孔２７０に通して、保持板２３５の前面（図３０において手前側）に出す。
【００９５】
次に、その電子機器用ケーブル１１を、ケーブル用貫通孔２７０に設けられた開口部２７１の中へ曲げる。図３１は、曲げた後の状態を示す。開口部２７１は、ケーブル用貫通孔２７０を外側に開口する部分であり、保持板２３５の前面（保持する電子機器４と接する面）の位置から、上述した回転機構２００の回転軸（シャフト２０２）の位置までの間を開口する、概ねＵ字形の開口部である。なお、電子機器用ケーブル１１は、図３１に示されるように、回転機構２００の回転軸（シャフト２０２）の位置に来るまで曲げられる。
【００９６】
その後、保持する電子機器４を上述した手順で取り付け、開口部２７１から出ている電子機器用ケーブル１１を電子機器４に接続する。図３２及び図３３は、その状態を示す斜視図である。図３２及び図３３に示さるように、電子機器用ケーブル１１は、回転機構２
００の回転軸（シャフト２０２）に沿って外に導かれた後、電子機器４の接続部に至る。
【００９７】
このような状態で電子機器用ケーブル１１が電子機器４に接続されているので、回転機構２００を使って電子機器４の位置を変更しても、電子機器用ケーブル１１が引っ張られることがない。
【００９８】
図３４は、電子機器４と電子機器用ケーブル１１の位置関係を説明するための図である。図３４は、電子機器４を保持した電子機器保持スタンド１の側面図であり、（Ａ）で示す回転位置と、（Ｂ）で示す回転位置にある二つの状態を合わせて示している。
【００９９】
上述の通り、電子機器用ケーブル１１は、回転機能２００の回転軸の位置から外に出ているため、（Ａ）で示す位置にあっても、（Ｂ）に示す位置にあっても、電子機器用ケーブル１１が開口部２７１から出てから電子機器４に接続されるまでの距離は等しい。このことは、図３４に示す距離Ｌ１とＬ２が等しいことからもわかる。従って、電子機器４を回転機構２００を用いてどの位置に回転させても（図３４の矢印Ｇの方向に回転させても）、必要なケーブルの長さは変わらない。よって、電子機器４を回転させても、ケーブルが引っ張られてしまうことがなく、ケーブルの接続部が抜けてしまうという虞がない。
【０１００】
更に、電子機器用ケーブル１１の多くの部分が装置内部にあり、装置の外部に出る部分が少ないので、邪魔にならない。
【０１０１】
また、ケーブル用貫通孔２７０には、別の特徴がある。図３５及び図３６は、ケーブル用貫通孔２７０の基部３側の縁部において何ら工夫をしなかった場合の断面図である。図３５及び図３６に示されるように、電子機器用ケーブル１１を基部３の内部からケーブル用貫通孔２７０に通すために、基部側穴部３２が基部３の上面に設けられ、電子機器用ケーブル１１は基部側穴部３２を通った後にケーブル用貫通孔２７０に入る。そして、保持部２が電子機器４の位置を変えるために回転されると、ケーブル用貫通孔２７０の基部３側の開口位置と、基部側穴部３２の相対位置が変化し、電子機器用ケーブル１１が通れる面積も変化する。従って、その面積が小さくなっている場合、電子機器４を回転している場合などに、ケーブル用貫通孔２７０の縁部２７０ａ及び基部側穴部３２の縁部３２ａに、電子機器用ケーブル１１が接触する場合がある。当該接触は、電子機器用ケーブル１１を痛める虞があり好ましくない。
【０１０２】
そこで、本実施の形態例に係る電子機器保持スタンド１では、ケーブル用貫通孔２７０の縁部２７０Ａ及び基部側穴部３２の縁部３２Ａを、ケーブルを痛めづらい構造としている。図３７及び図３８は、本実施の形態例に係るケーブル用貫通孔２７０及び基部側穴部３２の断面図である。図３７及び図３８に示されるように、ケーブル用貫通孔２７０の縁部２７０Ａ及び基部側穴部３２の縁部３２Ａに壁を設けて、上述した縁部２７０ａ及び縁部３２ａの場合よりも、電子機器用ケーブル１１との接触面積を大きくしている。これにより、電子機器用ケーブル１１を破損する可能性を抑えることができる。
【０１０３】
以上説明したように、本電子機器保持スタンド１におけるケーブルを取り扱う構造では、電子機器４の回転によってケーブルが抜けたり、破損する危険がなく、また、電源系統が装置内部に収められて邪魔にならない。
【０１０４】
以上、本実施の形態例に係る電子機器保持スタンド１について説明したが、本発明を適用した電子機器保持スタンド１は、レジシステムだけでなく、タブレット端末等の電子機器を固定して使用し、その電子機器の向きを容易に変更したい用途に適用することができる。
【０１０５】
本発明の保護範囲は、上記の実施の形態に限定されず、特許請求の範囲に記載された発明とその均等物に及ぶものである。
【符号の説明】
【０１０６】
１…電子機器保持スタンド、２…保持部、３…基部、２００…回転機構、２３５…保持板、Ｅ…オペレーター側、Ｆ…カスタマー側。
【図１】
0006665499.tif 000002
【図２】
0006665499.tif 000003
【図３】
0006665499.tif 000004
【図４】
0006665499.tif 000005
【図５】
0006665499.tif 000006
【図６】
0006665499.tif 000007
【図７】
0006665499.tif 000008
【図８】
0006665499.tif 000009
【図９】
0006665499.tif 000010
【図１０】
0006665499.tif 000011
【図１１】
0006665499.tif 000012
【図１２】
0006665499.tif 000013
【図１３】
0006665499.tif 000014
【図１４】
0006665499.tif 000015
【図１５】
0006665499.tif 000016
【図１６】
0006665499.tif 000017
【図１７】
0006665499.tif 000018
【図１８】
0006665499.tif 000019
【図１９】
0006665499.tif 000020
【図２０】
0006665499.tif 000021
【図２１】
0006665499.tif 000022
【図２２】
0006665499.tif 000023
【図２３】
0006665499.tif 000024
【図２４】
0006665499.tif 000025
【図２５】
0006665499.tif 000026
【図２６】
0006665499.tif 000027
【図２７】
0006665499.tif 000028
【図２８】
0006665499.tif 000029
【図２９】
0006665499.tif 000030
【図３０】
0006665499.tif 000031
【図３１】
0006665499.tif 000032
【図３２】
0006665499.tif 000033
【図３３】
0006665499.tif 000034
【図３４】
0006665499.tif 000035
【図３５】
0006665499.tif 000036
【図３６】
0006665499.tif 000037
【図３７】
0006665499.tif 000038
【図３８】
0006665499.tif 000039